(57)【要約】  撮像装置１０は、撮像素子１１を有する本体１２と、本体１２の一面に沿って配置された矩形のディスプレイ１３と、ディスプレイ１３を本体１２に可動に連結しているヒンジユニット１４と、を備え、ヒンジユニット１４は、ディスプレイ１３の直交する二辺のうち一辺に沿って延びる軸Ａ上の一対の第１ヒンジ２３によって軸Ａまわりに回動可能に本体１２に連結された支持部２１を含み、ディスプレイ１３は、ディスプレイ１３の直交する二辺のうち他辺に沿って延びる軸Ｂ上の一対の第２ヒンジ２４によって軸Ｂまわりに回動可能に支持部２１に支持されており、一対の第１ヒンジ２３の一方は一対の第２ヒンジ２４の間に配置されている。
2017056590.tif 000002
【特許請求の範囲】
【請求項１】
撮像素子を有する本体と、
前記本体の一面に沿って配置された矩形のディスプレイと、
前記ディスプレイを前記本体に可動に連結しているヒンジユニットと、
を備え、
前記ヒンジユニットは、前記ディスプレイの直交する二辺のうち一辺に沿って延びる第１軸上の一対の第１ヒンジによって前記第１軸まわりに回動可能に前記本体に連結された支持部を含み、
前記ディスプレイは、前記ディスプレイの直交する二辺のうち他辺に沿って延びる第２軸上の一対の第２ヒンジによって前記第２軸まわりに回動可能に前記支持部に支持されており、
前記一対の第１ヒンジの一方は前記一対の第２ヒンジの間に配置されている撮像装置。
【請求項２】
請求項１記載の撮像装置であって、
前記支持部は、前記第１軸が沿う前記ディスプレイの一辺とは反対側の一辺側に前記第１軸から外れて配置され、前記ディスプレイの外周に露出して設けられた第１回動操作部を有し、
前記ディスプレイは、前記第２軸が沿う前記ディスプレイの一辺とは反対側の一辺側に前記第２軸から外れて配置された第２回動操作部を有する撮像装置。
【請求項３】
請求項１記載の撮像装置であって、
前記ディスプレイは、前記第２軸が沿う前記ディスプレイの一辺とは反対側の一辺側に前記第２軸から外れて配置された回動操作部を有し、
前記回動操作部は、前記支持部と係合することによって前記ディスプレイの前記第２軸まわりの回動を阻止するロック位置と前記支持部との係合から解放されるアンロック位置との間で移動可能な係合部材と、前記係合部材を前記ロック位置に向けて付勢する付勢部材とを含む撮像装置。
【請求項４】
請求項１記載の撮像装置であって、
前記ディスプレイの前記第２軸まわりの回動初動トルクは、前記支持部の前記第１軸まわりの回動初動トルクより大きい撮像装置。
【請求項５】
請求項１記載の撮像装置であって、
前記本体は、前記支持部と係合することによって前記支持部を前記本体に固定するロック位置と前記支持部との係合から解放されるアンロック位置との間で移動可能な係合部材と、前記係合部材を前記アンロック位置に向けて付勢する付勢部材とを含み、
前記係合部材は、前記本体の一面から離反する向きに前記第２軸まわりに回動される前記ディスプレイに押圧されて前記ロック位置に移動される撮像装置。
【請求項６】
撮像素子を有する本体と、
前記本体の一面に沿って配置された矩形のディスプレイと、
前記ディスプレイを前記本体に可動に連結しているヒンジユニットと、
を備え、
前記ヒンジユニットは、前記ディスプレイの直交する二辺のうち一辺に沿って延びる第１軸上の一対の第１ヒンジによって前記第１軸まわりに回動可能に前記本体に連結された第１支持部と、
前記第１軸に対して前記第１軸が沿う前記ディスプレイの一辺とは反対側の一辺側に偏倚した前記第１軸と平行な第２軸上の一対の第２ヒンジによって前記第２軸まわりに回動可能に前記第１支持部に連結された第２支持部と、
を含み、
前記ディスプレイは、前記ディスプレイの直交する二辺のうち他辺に沿って延びる第３軸上の一対の第３ヒンジによって前記第３軸まわりに回動可能に前記第２支持部に支持されており、
前記一対の第１ヒンジの一方及び前記一対の第２ヒンジの一方の少なくともいずれかは、前記一対の第３ヒンジの間に配置されている撮像装置。
【請求項７】
請求項６記載の撮像装置であって、
前記第２支持部は、前記第１軸が沿う前記ディスプレイの一辺とは反対側の一辺側に前記第１軸から外れ、前記ディスプレイの外周に露出して設けられた第１回動操作部と、前記第１軸が沿う前記ディスプレイの一辺側に前記第２軸から外れて配置され、前記ディスプレイの外周に露出して設けられた第２回動操作部とを有し、
前記ディスプレイは、前記第３軸が沿う前記ディスプレイの一辺とは反対側の一辺側に前記第３軸から外れて配置された第３回動操作部を有する撮像装置。
【請求項８】
請求項７記載の撮像装置であって、
前記第１回動操作部は、前記ディスプレイの外周において前記第１軸が沿う前記ディスプレイの一辺とは反対側の一辺に露出して設けられている撮像装置。
【請求項９】
請求項６記載の撮像装置であって、
前記ディスプレイは、前記第３軸が沿う前記ディスプレイの一辺とは反対側の一辺側に前記第３軸から外れて配置された回動操作部を有し、
前記回動操作部は、前記第２支持部と係合することによって前記ディスプレイの前記第３軸まわりの回動を阻止するロック位置と前記第２支持部との係合から解放されるアンロック位置との間で移動可能な係合部材と、前記係合部材を前記ロック位置に向けて付勢する付勢部材とを含む撮像装置。
【請求項１０】
請求項６記載の撮像装置であって、
前記ディスプレイの前記第３軸まわりの回動初動トルクは、前記第１支持部の前記第１軸まわりの回動初動トルク及び前記第２支持部の前記第２軸まわりの回動初動トルクより大きい撮像装置。
【請求項１１】
請求項６記載の撮像装置であって、
前記本体は、前記第２支持部と係合することによって前記第２支持部を前記本体に固定するロック位置と前記第２支持部との係合から解放されるアンロック位置との間で移動可能な係合部材と、前記係合部材を前記アンロック位置に向けて付勢する付勢部材とを含み、
前記係合部材は、前記本体の一面から離反する向きに前記第３軸まわりに回動される前記ディスプレイに押圧されて前記ロック位置に移動される撮像装置。
【請求項１２】
請求項１から１１のいずれか一項記載の撮像装置であって、
前記ディスプレイは、前記ヒンジユニットを覆うカバーを有する撮像装置。
【発明の詳細な説明】
【技術分野】
【０００１】
本発明は、撮像装置に関する。
【背景技術】
【０００２】
撮像素子を有する本体の一面に沿って配置されたディスプレイにライブビュー画像が表示される撮像装置として、可動式のディスプレイを備え、撮影姿勢を変えることなくハイアングル及びローアングルといった種々の撮影アングルでの撮影が可能に構成された撮像装置が知られている。【０００３】
特許文献１に記載されたデジタルカメラは、図３１、図３２Ａ及び図３２Ｂに示すように、本体１の一面に沿って配置されたディスプレイ２を本体１に可動に連結しているヒンジユニット３を備える。【０００４】
ヒンジユニット３は、本体１及びヒンジユニット３にそれぞれ設けられた軸受孔４ａに図示しない軸部材が挿通されてなる一対の第１ヒンジ４により、軸Ａまわりに回動可能に本体１に連結されている。そして、ディスプレイ２は、ヒンジユニット３に設けられた軸受孔５ａにディスプレイ２に設けられた軸部５ｂが挿通されてなる一対の第２ヒンジ５により、軸Ａと直交する軸Ｂまわりに回動可能にヒンジユニット３に支持されている。【０００５】
例えば撮影範囲が相対的に水平方向に長くなる横構えでは、ディスプレイ２はヒンジユニット３と一体に軸Ａまわりに回動され、撮影範囲が相対的に鉛直方向に長くなる縦構えでは、ディスプレイ２が単独で軸Ｂまわりに回動され、横構え及び縦構えのいずれの場合にも撮影アングルに応じてディスプレイ２の角度が変更可能となっている。
【先行技術文献】
【特許文献】
【０００６】
【特許文献１】日本国特許第５４６１７３８号明細書
【発明の概要】
【発明が解決しようとする課題】
【０００７】
特許文献１に記載されたデジタルカメラのヒンジユニット３では、一対の第１ヒンジ４が配置される軸Ａは、一対の第２ヒンジ５の外側で、これら一対の第２ヒンジ５が設けられる軸Ｂと交差しており、軸Ａ上の一対の第１ヒンジ４がディスプレイ２の外側に突出して配置され、ヒンジユニット３がディスプレイ２よりも大きくなっている。一対の第１ヒンジ４のような機構が、ディスプレイ２の外側に突出して配置されてデジタルカメラの外観に露呈していると、デジタルカメラの意匠性が損なわれる。【０００８】
本発明は、上述した事情に鑑みなされたものであり、ディスプレイを本体に可動に連結するヒンジユニットを小型化できる撮像装置を提供することを目的とする。
【課題を解決するための手段】
【０００９】
本発明の一態様の撮像装置は、撮像素子を有する本体と、上記本体の一面に沿って配置された矩形のディスプレイと、上記ディスプレイを上記本体に可動に連結しているヒンジユニットと、を備え、上記ヒンジユニットは、上記ディスプレイの直交する二辺のうち一辺に沿って延びる第１軸上の一対の第１ヒンジによって上記第１軸まわりに回動可能に上記本体に連結された支持部を含み、上記ディスプレイは、上記ディスプレイの直交する二辺のうち他辺に沿って延びる第２軸上の一対の第２ヒンジによって上記第２軸まわりに回動可能に上記支持部に支持されており、上記一対の第１ヒンジの一方は上記一対の第２ヒンジの間に配置されている。【００１０】
また、本発明の一態様の撮像装置は、撮像素子を有する本体と、上記本体の一面に沿って配置された矩形のディスプレイと、上記ディスプレイを上記本体に可動に連結しているヒンジユニットと、を備え、上記ヒンジユニットは、上記ディスプレイの直交する二辺のうち一辺に沿って延びる第１軸上の一対の第１ヒンジによって上記第１軸まわりに回動可能に上記本体に連結された第１支持部と、上記第１軸に対して上記第１軸が沿う上記ディスプレイの一辺とは反対側の一辺側に偏倚した上記第１軸と平行な第２軸上の一対の第２ヒンジによって上記第２軸まわりに回動可能に上記第１支持部に連結された第２支持部と、を含み、上記ディスプレイは、上記ディスプレイの直交する二辺のうち他辺に沿って延びる第３軸上の一対の第３ヒンジによって上記第３軸まわりに回動可能に上記第２支持部に支持されており、上記一対の第１ヒンジの一方及び上記一対の第２ヒンジの一方の少なくともいずれかは、上記一対の第３ヒンジの間に配置されている。
【発明の効果】
【００１１】
本発明によれば、ディスプレイを本体に可動に連結するヒンジユニットを小型化できる。
【図面の簡単な説明】
【００１２】
【図１Ａ】本発明の実施形態を説明するための、撮像装置の一例を示す斜視図である。
【図１Ｂ】図１Ａの撮像装置の裏面側の斜視図である。
【図２Ａ】図１Ａの撮像装置のディスプレイの動作を示す模式図である。
【図２Ｂ】図１Ａの撮像装置のディスプレイの動作を示す模式図である。
【図３】図１Ａの撮像装置のヒンジユニットの分解斜視図である。
【図４Ａ】図３のヒンジユニットの一対の第１ヒンジ及び一対の第２ヒンジの配置を示す模式図である。
【図４Ｂ】図４Ａのヒンジユニットが一対の第２ヒンジの軸まわりに回動された際のヒンジユニットの軌道を示す模式図である。
【図５Ａ】一対の第１ヒンジ及び一対の第２ヒンジの配置の参考例を示す模式図である。
【図５Ｂ】図５Ａのヒンジユニットが一対の第２ヒンジの軸まわりに回動された際のヒンジユニットの軌道を示す模式図である。
【図６Ａ】一対の第１ヒンジ及び一対の第２ヒンジの配置の他の参考例を示す模式図である。
【図６Ｂ】図６Ａのヒンジユニットが一対の第２ヒンジの軸まわりに回動された際のヒンジユニットの軌道を示す模式図である。
【図７Ａ】一対の第１ヒンジ及び一対の第２ヒンジの配置の他の参考例を示す模式図である。
【図７Ｂ】図７Ａのヒンジユニットが一対の第２ヒンジの軸まわりに回動された際のヒンジユニットの軌道を示す模式図である。
【図８】図１Ａの撮像装置の変形例のディスプレイ及びヒンジユニットの正面図である。
【図９Ａ】図８の撮像装置のディスプレイの動作を示す模式図である。
【図９Ｂ】図８の撮像装置のディスプレイの動作を示す模式図である。
【図１０】図１Ａの撮像装置の他の変形例のディスプレイ及びヒンジユニットの正面図である。
【図１１Ａ】図１０におけるXI-XI線断面図である。
【図１１Ｂ】図１１Ａの回動操作部の動作を示す断面図である。
【図１２】図１Ａの撮像装置の他の変形例のディスプレイ及びヒンジユニットの斜視図である。
【図１３】図１２の撮像装置の変形例の斜視図である。
【図１４Ａ】図１Ａの撮像装置の他の変形例のヒンジユニットの第１ヒンジの断面図である。
【図１４Ｂ】図１Ａの撮像装置の他の変形例のヒンジユニットの第２ヒンジの断面図である。
【図１５】図１Ａの撮像装置の他の変形例の斜視図である。
【図１６Ａ】図１５におけるXVI-XVI線断面図である。
【図１６Ｂ】図１６Ａの係合部材の動作を示す断面図である。
【図１７Ａ】本発明の実施形態を説明するための、撮像装置の他の例の動作を示す模式図である。
【図１７Ｂ】図１７Ａの撮像装置の動作を示す模式図である。
【図１７Ｃ】図１７Ａの撮像装置の動作を示す模式図である。
【図１８】図１７Ａの撮像装置のヒンジユニットの分解斜視図である。
【図１９Ａ】図１８のヒンジユニットの一対の第１ヒンジ及び一対の第２ヒンジ並びに一対の第３ヒンジの配置を示す模式図である。
【図１９Ｂ】図１９Ａのヒンジユニットが一対の第３ヒンジの軸まわりに回動された際のヒンジユニットの軌道を示す模式図である。
【図２０Ａ】一対の第１ヒンジ及び一対の第２ヒンジ並びに一対の第３ヒンジの配置の参考例を示す模式図である。
【図２０Ｂ】図２０Ａのヒンジユニットが一対の第３ヒンジの軸まわりに回動された際のヒンジユニットの軌道を示す模式図である。
【図２１Ａ】一対の第１ヒンジ及び一対の第２ヒンジ並びに一対の第３ヒンジの配置の参考例を示す模式図である。
【図２１Ｂ】図２１Ａのヒンジユニットが一対の第３ヒンジの軸まわりに回動された際のヒンジユニットの軌道を示す模式図である。
【図２２Ａ】一対の第１ヒンジ及び一対の第２ヒンジ並びに一対の第３ヒンジの配置の参考例を示す模式図である。
【図２２Ｂ】図２２Ａのヒンジユニットが一対の第３ヒンジの軸まわりに回動された際のヒンジユニットの軌道を示す模式図である。
【図２３】図１７Ａの撮像装置の変形例のディスプレイ及びヒンジユニットの正面図である。
【図２４Ａ】図２３の撮像装置のディスプレイの動作を示す模式図である。
【図２４Ｂ】図２３の撮像装置のディスプレイの動作を示す模式図である。
【図２４Ｃ】図２３の撮像装置のディスプレイの動作を示す模式図である。
【図２５】図２３の撮像装置の変形例のディスプレイ及びヒンジユニットの側面図である。
【図２６】図１７Ａの撮像装置の他の変形例のディスプレイ及びヒンジユニットの正面図である。
【図２７Ａ】図２６におけるXXVII-XXVII線断面図である。
【図２７Ｂ】図２７Ａの回動操作部の動作を示す断面図である。
【図２８】図１７Ａの撮像装置の他の変形例のディスプレイ及びヒンジユニットの斜視図である。
【図２９】図１７Ａの撮像装置の他の変形例の斜視図である。
【図３０Ａ】図２９におけるXXX-XXX線断面図である。
【図３０Ｂ】図３０Ａの係合部材の動作を示す断面図である。
【図３１】従来の撮像装置の一例の分解斜視図である。
【図３２Ａ】図３１の撮像装置のディスプレイの動作を示す模式図である。
【図３２Ｂ】図３１の撮像装置のディスプレイの動作を示す模式図である。
【発明を実施するための形態】
【００１３】
図１Ａ及び図１Ｂは、本発明の実施形態を説明するための、撮像装置の一例を示す。
【００１４】
図１Ａ及び図１Ｂに示す撮像装置としてのデジタルカメラ１０は、ＣＣＤ（Charge Coupled Device）イメージセンサ又はＣＭＯＳ（Complementaly Metal Oxide Semiconductor）イメージセンサなどの撮像素子１１を有する本体１２と、ディスプレイ１３と、ディスプレイ１３を本体１２に可動に連結しているヒンジユニットとを備える。
【００１５】
ディスプレイ１３は、液晶又は有機ＥＬなどの表示パネル１５と、表示パネル１５の表示領域を露出させる窓が形成されたカバー１６とを有し、表示パネル１５を正面からみて略矩形状に形成されている。本体１２の背面には、ディスプレイ１３と同じく略矩形状に形成された凹部１７が設けられており、ディスプレイ１３は、凹部１７に収容され、本体１２の背面に沿って配置されている。
【００１６】
凹部１７は本体１２の底面及び本体１２の一方の側面にそれぞれ開放されている。ディスプレイ１３が凹部１７に収容された状態で、ディスプレイ１３の四辺の側面のうち、一方の長辺１３ａの側面及び一方の短辺１３ｂの側面は露出されている。
【００１７】
図２Ａ及び図２Ｂに示すように、本例のヒンジユニットは、ディスプレイ１３の長辺１３ａに沿って延びる軸Ａ（第１軸）まわりに回動可能に、また、軸Ａと略直交しかつディスプレイ１３の短辺１３ｄに沿って延びる軸Ｂ（第２軸）まわりに回動可能に、ディスプレイ１３を本体１２に連結している。なお、軸Ａ及び軸Ｂがディスプレイ１３の辺に「沿う」とは、軸Ａ及び軸Ｂがディスプレイ１３の辺から離れずに辺と並行することを言う。
【００１８】
図３は、デジタルカメラ１０のヒンジユニットの構成を示す。
【００１９】
ヒンジユニット１４は、本体１２の凹部１７の底面に固定される固定部２０と、ディスプレイ１３を支持する支持部２１とを有する。
【００２０】
固定部２０には、軸Ａ上に配置される一対のヒンジブラケット３０が設けられており、支持部２１には、軸Ａの軸方向にヒンジブラケット３０と重ね合わされる一対のヒンジブラケット３１が設けられている。重ね合わされたヒンジブラケット３０とヒンジブラケット３１とはヒンジピン３２によって相対回動可能に結合される。
【００２１】
ヒンジブラケット３０及びヒンジブラケット３１並びにヒンジピン３２により、軸Ａ上に配置される第１ヒンジ２３が構成される。支持部２１は、軸Ａ上の一対の第１ヒンジ２３によって軸Ａまわりに回動可能に、固定部２０を介して本体１２に連結される。
【００２２】
支持部２１には、軸Ｂ上に配置される一対のヒンジブラケット３３が設けられており、ディスプレイ１３には、軸Ｂの軸方向にヒンジブラケット３３と重ね合される一対のヒンジブラケット３４が設けられている。重ね合わされたヒンジブラケット３３とヒンジブラケット３４とはヒンジピン３５によって相対回動可能に結合される。
【００２３】
ヒンジブラケット３３及びヒンジブラケット３４並びにヒンジピン３５により、軸Ｂ上に配置される第２ヒンジ２４が構成される。ディスプレイ１３は、軸Ｂ上の一対の第２ヒンジ２４によって軸Ｂまわりに回動可能に、支持部２１に支持される。
【００２４】
ヒンジユニット１４によれば、ディスプレイ１３は、ヒンジユニット１４の支持部２１と一体に軸Ａまわりに回動され、また、単独で軸Ｂまわりに回動される。
【００２５】
軸Ａ上の一対の第１ヒンジ２３は、軸Ａが沿うディスプレイ１３の長辺１３ａの両端部にそれぞれ配置されており、一対の第１ヒンジ２３が互いに近接して配置される場合に比べてディスプレイ１３の軸Ａまわりの回動の安定性が高まる。
【００２６】
同様に、軸Ｂ上の一対の第２ヒンジ２４は、軸Ｂが沿うディスプレイ１３の短辺１３ｄの両端部にそれぞれ配置されており、一対の第２ヒンジ２４が互いに近接して配置される場合に比べてディスプレイ１３の軸Ｂまわりの回動の安定性が高まる。
【００２７】
ディスプレイ１３が凹部１７に収容されて本体１２の背面に沿って配置されている状態で、ヒンジユニット１４は、ディスプレイ１３のカバー１６によって覆われ、デジタルカメラ１０の外観に露出しない。ヒンジユニット１４をデジタルカメラ１０の外観に露出させないことにより、デジタルカメラ１０の意匠性を高めることができる。
【００２８】
図４Ａは、ヒンジユニット１４の一対の第１ヒンジ２３及び一対の第２ヒンジ２４の配置を模式的に示し、図４Ｂは、ヒンジユニット１４が一対の第２ヒンジ２４の軸Ｂまわりに回動された際のヒンジユニット１４の軌道を模式的に示す。
【００２９】
図４Ａ及び図４Ｂに示すように、本例のヒンジユニット１４では、軸Ａ上の一対の第１ヒンジ２３のうち軸Ｂ寄りに位置する一方の第１ヒンジ２３が軸Ｂ上の一対の第２ヒンジ２４の間に配置されている。図中、二点鎖線の枠は、ディスプレイ１３の表示パネル１５を正面からみたときのカバー１６の外周を示している。
【００３０】
図５Ａ及び図５Ｂ、図６Ａ及び図６Ｂ、図７Ａ及び図７Ｂは、軸Ｂ寄りに位置する第１ヒンジ２３が一対の第２ヒンジ２４の間から外れて配置されている場合をそれぞれ示す。
【００３１】
図５Ａ及び図５Ｂは、軸Ｂ寄りに位置する第１ヒンジ２３が、軸Ｂの軸方向に一対の第２ヒンジ２４の間から外れて配置されており、軸Ａと軸Ｂとが一対の第２ヒンジ２４の外側で交差する場合を示している。この場合に、ヒンジユニット１４及びヒンジユニット１４を覆うカバー１６の外周は、図中クロスハッチングを付して示すように、図４Ａ及び図４Ｂに示したヒンジユニット１４及びカバー１６の外周に対して軸Ｂの軸方向に拡大される。
【００３２】
図６Ａ及び図６Ｂは、軸Ｂ寄りに位置する第１ヒンジ２３が、軸Ａの軸方向に一対の第２ヒンジ２４の間から外れて配置されており、かつ軸Ａと軸Ｂとが一対の第１ヒンジ２３の外側で交差する、すなわち一対の第１ヒンジ２３が軸Ａの軸方向に軸Ｂの片側に配置される場合を示している。この場合に、ヒンジユニット１４及びヒンジユニット１４を覆うカバー１６の外周は、図中クロスハッチングを付して示すように、図４Ａ及び図４Ｂに示したヒンジユニット１４及びカバー１６の外周に対して軸Ａの軸方向に拡大される。
【００３３】
図７Ａ及び図７Ｂは、軸Ｂ寄りに位置する第１ヒンジ２３が、軸Ａの軸方向に一対の第２ヒンジ２４の間から外れて配置されており、かつ軸Ａと軸Ｂとが一対の第１ヒンジ２３の間で交差する、すなわち軸Ｂ寄りに位置する一方の第１ヒンジ２３が軸Ｂを挟んで他方の第１ヒンジ２３とは反対側に配置される場合を示している。この場合に、ヒンジユニット１４を覆うカバー１６の外周は、図４Ａ及び図４Ｂに示したカバー１６の外周と同等となる。
【００３４】
しかし、軸Ｂ寄りに位置する一方の第１ヒンジ２３が軸Ｂを挟んで他方の第１ヒンジ２３とは反対側に配置されることにより、軸Ｂ寄りに位置する第１ヒンジ２３は、ディスプレイ１３の軸Ｂまわりの回動に伴い、本体１２の凹部１７の底面に向けて軸Ｂまわりに旋回される。そして、軸Ｂ寄りに位置する第１ヒンジ２３が軸Ａの軸方向に一対の第２ヒンジ２４の間から外れて配置されることによって旋回半径が大きくなる。そのため、本体１２の凹部１７の底面には、第１ヒンジ２３との干渉を回避するための逃げ溝が必要となる。
【００３５】
このように、一対の第１ヒンジ２３のうち軸Ｂ寄りに位置する一方の第１ヒンジ２３を一対の第２ヒンジ２４の間に配置することにより、ヒンジユニット１４を小型化することができる。
【００３６】
次に、ヒンジユニット１４の支持部２１と一体に軸Ａまわりに回動され、また、単独で軸Ｂまわりに回動されるディスプレイ１３の回動操作性を高めたデジタルカメラ１０の種々の変形例について説明する。
【００３７】
図８、図９Ａ及び図９Ｂに示す例は、第１回動操作部４０と、第２回動操作部４１とを備える。
【００３８】
第１回動操作部４０は、ヒンジユニット１４の支持部２１に設けられており、軸Ａが沿うディスプレイ１３の長辺１３ａとは反対側の長辺１３ｃ側に軸Ａから外れて配置されている。そして、第１回動操作部４０は、ヒンジユニット１４を覆うディスプレイ１３のカバー１６の一部が切り欠かれてディスプレイ１３の外周に露出して設けられており、指を掛けることが可能な小片状の突起によって構成されている。
【００３９】
第２回動操作部４１は、ディスプレイ１３に設けられており、軸Ｂが沿うディスプレイ１３の短辺１３ｄとは反対側の短辺１３ｂ側に軸Ｂから外れて配置されている。第２回動操作部４１もまた、指を掛けることが可能な小片状の突起によって構成されている。
【００４０】
第１回動操作部４０が引き上げられると、第１回動操作部４０が設けられたヒンジユニット１４の支持部２１が軸Ａまわりに回動され、支持部２１に支持されたディスプレイ１３もまた支持部２１と一体に軸Ａまわりに回動される。第２回動操作部４１が引き上げられると、第２回動操作部４１が設けられたディスプレイ１３が単独で軸Ｂまわりに回動される。これにより、ディスプレイ１３の軸Ａ及び軸Ｂの各軸まわりの回動における誤動作が抑制され、ディスプレイ１３の回動操作性を高めることができる。
【００４１】
図８、図９Ａ及び図９Ｂに示した例では、ディスプレイ１３の軸Ａまわりの回動及び軸Ｂまわりの回動それぞれに個別の回動操作部が設けられているが、図１０、図１１Ａ及び図１１Ｂに示す例は、一つの回動操作部５０に簡略化したものである。
【００４２】
回動操作部５０は、ディスプレイ１３に設けられており、軸Ｂが沿うディスプレイ１３の短辺１３ｄとは反対側の短辺１３ｂ側に軸Ｂから外れて配置されている。
【００４３】
回動操作部５０は、係合部材５１と、付勢部材５２とを含む。係合部材５１は、ヒンジユニット１４の支持部２１と係合するロック位置Ｐ１と支持部２１との係合から解放されるアンロック位置Ｐ２との間で移動可能にディスプレイ１３のカバー１６に支持されている。係合部材５１のロック位置Ｐ１からアンロック位置Ｐ２への移動方向は、軸Ａの軸方向と平行であってもよく、軸Ｂの軸方向と平行であってもよく、特に限定されない。付勢部材５２は、係合部材５１をロック位置Ｐ１に向けて付勢している。
【００４４】
係合部材５１には、ディスプレイ１３の外周に露出し、指を掛けることが可能な小片状の突起部５３が設けられており、突起部５３に対する操作により、回動操作部５０の引き上げ、及び係合部材５１のロック位置Ｐ１からアンロック位置Ｐ２への移動がなされる。
【００４５】
係合部材５１がロック位置Ｐ１にあってヒンジユニット１４の支持部２１と係合している場合に、ディスプレイ１３は支持部２１と一体である。支持部２１は本体１２に対して軸Ｂまわりに回動不能であることから、係合部材５１が支持部２１と係合している状態では、ディスプレイ１３は軸Ａまわりにのみ回動可能である。本体１２の一方の側面に開放されている凹部１７によってディスプレイ１３の一方の短辺１３ｂの側面が露出されており、例えば露出された短辺１３ｂの側面に指が掛けられた状態で短辺１３ｂの側面が引き上げられ、ディスプレイ１３は軸Ａまわりに回動される。
【００４６】
係合部材５１がアンロック位置Ｐ２に移動されて支持部２１との係合から解放されている状態では、ディスプレイ１３は軸Ｂまわりにも回動可能である。この状態で回動操作部５０が引き上げられると、回動操作部５０が設けられたディスプレイ１３が単独で軸Ｂまわりに回動される。これにより、ディスプレイ１３の軸Ａ及び軸Ｂの各軸まわりの回動における誤動作が抑制され、ディスプレイ１３の回動操作性を高めることができる。
【００４７】
図１２、図１３、図１４Ａ及び図１４Ｂにそれぞれ示す例は、ディスプレイ１３の軸Ｂまわりの回動初動トルクを、ディスプレイ１３の軸Ａまわりの回動初動トルクより大きくしたものである。なお、ディスプレイ１３の軸Ａ及び軸Ｂの各軸まわりの回動初動トルクとは、本体１２の背面に沿って配置されているディスプレイ１３が本体１２の背面から離反する向きに回動される際の初動時に要するトルクをいうものとする。
【００４８】
また、本体１２の一方の側面に開放されている凹部１７によってディスプレイ１３の一方の短辺１３ｂの側面が露出されており、本例では、露出された短辺１３ｂの側面に指が掛けられた状態で短辺１３ｂの側面が引き上げられ、ディスプレイ１３が本体１２の背面から離反する向きに回動されるものとする。
【００４９】
短辺１３ｂの側面における操作部位の軸Ｂまわりに旋回半径は、軸Ａまわりの旋回半径より長くなる。そこで、ディスプレイ１３の軸Ｂまわりの回動初動トルクを相対的に大きくすることにより、ディスプレイ１３を軸Ｂまわりに回動させる際の操作荷重を、軸Ａまわりに回動させる際の操作荷重と略等しくし、又は軸Ａまわりに回動させる際の操作荷重よりも大きくすることができる。これにより、ディスプレイ１３が不用意に軸Ｂまわりに回動されることが抑制され、ディスプレイ１３の回動操作性を高めることができる。
【００５０】
図１２に示す例は、一対の磁石を備える。
【００５１】
一方の磁石６０はヒンジユニット１４の支持部２１に、他方の磁石６１はディスプレイ１３にそれぞれ設けられており、磁石６０及び磁石６１は、軸Ｂが沿うディスプレイ１３の短辺１３ｄとは反対側の短辺１３ｂ側に軸Ｂから外れて配置され、かつ互いに異なる磁極を対向させて配置されている。
【００５２】
ディスプレイ１３は、磁石６０と磁石６１との間に生じる引力によって支持部２１に吸着固定される。そして、磁石６０及び磁石６１が、軸Ｂが沿うディスプレイ１３の短辺１３ｄとは反対側の短辺１３ｂ側に軸Ｂから外れて配置されていることから、磁石６０と磁石６１との間の引力により、ディスプレイ１３の軸Ｂまわりの回動初動トルクが増大される。磁石６０及び磁石６１の表面磁束密度及び対向間隔、並びに磁石６０及び磁石６１と軸Ｂとの距離により、磁石６０と磁石６１との間の引力に基づく軸Ｂまわりのトルクが適宜調整され、ディスプレイ１３の軸Ｂまわりの回動初動トルクが軸Ａまわりの回動初動トルクより大きく設定される。
【００５３】
磁石６０と磁石６１との間の引力が軸Ｂまわりのトルクとして効果的に作用するよう、好ましくは、磁石６０及び磁石６１は、軸Ｂが沿うディスプレイ１３の短辺１３ｄとは反対側の短辺１３ｂに隣設される。
【００５４】
更に、磁石６０と磁石６１との間の引力は、本体１２の背面から離反する向きに軸Ｂまわりに回動されたディスプレイ１３が再び本体１２の背面に沿う向きに回動される際に、ディスプレイ１３を本体１２の背面に引き込むようにも作用する。本体１２の背面近傍まで回動されたディスプレイ１３は、磁石６０と磁石６１との間の引力によって本体１２の背面に引き込まれ、本体１２の背面に沿う適正位置に自動的に配置される。これにより、ディスプレイ１３の回動操作性を一層高めることができる。
【００５５】
なお、図１３に示すように、本体１２に磁石６２を設け、ヒンジユニット１４の支持部２１に設けられた磁石６０と磁石６２との間に生じる引力により、本体１２の背面から離反する向きに軸Ａまわりに回動されたディスプレイ１３が再び本体１２の背面に沿う向きに回動される際に、ディスプレイ１３を本体１２の背面に引き込むようにしてもよい。この場合、ディスプレイ１３の軸Ｂまわりの回動初動トルクを相対的に大きくする観点から、磁石６０と磁石６２との間の引力は磁石６０と磁石６１との間の引力よりも小さく設定され、例えば磁石６２の表面磁束密度が磁石６１の表面磁束密度よりも小さくされ、或いは磁石６０及び磁石６２の対向間隔が磁石６０及び磁石６１の対向間隔よりも大きくされる。
【００５６】
ディスプレイ１３の本体１２の背面への引き込みは、ディスプレイ１３の回動操作にクリック感を与えるクリック機構によっても行うことができ、このクリック機構を利用して、ディスプレイ１３の軸Ｂまわりの回動初動トルクを相対的に大きくすることもできる。
【００５７】
図１４Ａ及び図１４Ｂに示す例は、第１ヒンジ２３及び第２ヒンジ２４それぞれにクリック機構が設けられている。
【００５８】
第１ヒンジ２３のクリック機構は、第１ヒンジ２３を構成する支持部２１のヒンジブラケット３１に隣設され、ヒンジピン３２に固定された摺接板７０を含む。ヒンジブラケット３１には凸部７１が設けられており、摺接板７０には凹部７２が設けられている。凸部７１と凹部７２とは、ディスプレイ１３が本体１２の背面に沿って配置されている状態で互いに係合する。なお、ヒンジブラケット３１に凹部が設けられ、摺接板７０に凸部が設けられてもよい。
【００５９】
本体１２の背面に沿って配置されたディスプレイ１３が本体１２の背面から離反する向きに軸Ａまわりに回動されると、ディスプレイ１３と一体に支持部２１も回動され、ヒンジブラケット３１と摺接板７０とが相対回転し、凸部７１と凹部７２との係合が解除される。そして、ディスプレイ１３が再び本体１２の背面に沿う向きに回動されると、凸部７１と凹部７２とが互いに係合し、凸部７１と凹部７２との係合過程でディスプレイ１３は本体１２の背面に引き込まれ、凸部７１と凹部７２との係合が完了するタイミングでクリック感が生じる。
【００６０】
第２ヒンジ２４のクリック機構は、第２ヒンジ２４を構成するディスプレイ１３のヒンジブラケット３４に隣設され、ヒンジピン３５に固定された摺接板７３を含む。ヒンジブラケット３４には凸部７４が設けられており、摺接板７３には凹部７５が設けられている。凸部７４と凹部７５とは、ディスプレイ１３が本体１２の背面に沿って配置されている状態で互いに係合する。なお、ヒンジブラケット３４に凹部が設けられ、摺接板７３に凸部が設けられてもよい。
【００６１】
本体１２の背面に沿って配置されたディスプレイ１３が本体１２の背面から離反する向きに軸Ｂまわりに回動されると、ヒンジブラケット３４と摺接板７３とが相対回転し、摺接板７３の弾性的な撓みを伴って凸部７４と凹部７５との係合が解除される。そして、ディスプレイ１３が再び本体１２の背面に沿う向きに回動されると、凸部７４と凹部７５とが互いに係合し、凸部７４と凹部７５との係合過程でディスプレイ１３は本体１２の背面に引き込まれ、凸部７４と凹部７５との係合が完了するタイミングでクリック感が生じる。
【００６２】
以上の第１ヒンジ２３のクリック機構において、凸部７１と凹部７２との係合が解除される際に摺接板７０は弾性的に撓められ、摺接板７０の変形に要する力は、ディスプレイ１３の軸Ａまわりの回動初動トルクとなる。同様に、第２ヒンジ２４のクリック機構において、凸部７４と凹部７５との係合が解除される際に摺接板７３は弾性的に撓められ、摺接板７３の変形に要する力は、ディスプレイ１３の軸Ｂまわりの回動初動トルクとなる。
【００６３】
そこで、例えば第２ヒンジ２４のクリック機構の凸部７４及び凹部７５の係合代Ｈ２を、第１ヒンジ２３のクリック機構の凸部７１及び凹部７２の係合代Ｈ１よりも大きくすることにより、ディスプレイ１３の軸Ｂまわりの回動初動トルクを相対的に大きくすることができる。また、第２ヒンジ２４のクリック機構の摺接板７３の厚みＴ２を、第１ヒンジ２３のクリック機構の摺接板７０の厚みＴ１よりも大きくすることによっても、ディスプレイ１３の軸Ｂまわりの回動初動トルクを相対的に大きくすることができる。
【００６４】
図１５、図１６Ａ及び図１６Ｂに示す例は、ディスプレイ１３が軸Ｂまわりに回動された場合に、ディスプレイ１３の軸Ａまわりの回動を阻止するようにしたものである。
【００６５】
ディスプレイ１３が収容される本体１２の凹部１７には、係合部材８０と、付勢部材８１とが設けられている。係合部材８０は、軸Ｂが沿うディスプレイ１３の短辺１３ｄの側面を構成しているカバー１６の縁部Ｅの軸Ｂまわりの旋回軌道上に配置されており、本体１２の背面に沿って配置されているディスプレイ１３が本体１２の背面から離反する向きに軸Ｂまわりに回動された際にカバー１６の縁部Ｅによって押圧される。
【００６６】
係合部材８０は、ヒンジユニット１４の支持部２１と係合することによって支持部２１を本体１２に固定するロック位置Ｐ１と、支持部２１との係合から解放されるアンロック位置Ｐ２との間で、押圧方向に移動可能に本体１２に支持されている。付勢部材８１は、アンロック位置Ｐ２に向けて係合部材８０を付勢している。
【００６７】
係合部材８０がアンロック位置Ｐ２にあってヒンジユニット１４の支持部２１との係合から解放されている状態で、ディスプレイ１３は軸Ａ及び軸Ｂの各軸まわりに回動可能である。本体１２の一方の側面に開放されている凹部１７によってディスプレイ１３の一方の短辺１３ｂの側面が露出されており、例えば露出された短辺１３ｂの側面に指が掛けられた状態で短辺１３ｂの側面が引き上げられ、ディスプレイ１３は軸Ａ又は軸Ｂまわりに回動される。
【００６８】
ディスプレイ１３が軸Ｂまわりに回動された場合に、係合部材８０は、ディスプレイ１３のカバー１６の縁部Ｅによって押圧されてロック位置Ｐ１に移動され、ヒンジユニット１４の支持部２１と係合する。係合部材８０と支持部２１との係合によって支持部２１は本体１２に固定され、支持部２１の軸Ａまわりの回動が阻止され、ディスプレイ１３の軸Ａまわりの回動もまた阻止される。
【００６９】
このように、ディスプレイ１３が軸Ｂまわりに回動された場合に、ディスプレイ１３の軸Ａまわりの回動を阻止することによってディスプレイ１３の無用な回動をなくすことにより、ディスプレイ１３の回動操作性を高めることができる。
【００７０】
図１７Ａから図１７Ｃは、本発明の実施形態を説明するための、撮像装置の他の例を示す。なお、上述したデジタルカメラ１０と共通する要素には共通の符号を付し、説明を省略又は簡略する。
【００７１】
図１７Ａから図１７Ｃに示す撮像装置としてのデジタルカメラ１１０は、撮像素子を有する本体１２と、ディスプレイ１３と、ヒンジユニットとを備える。ヒンジユニットは、ディスプレイ１３を本体１２に可動に連結している。本例では、ヒンジユニットは、ディスプレイ１３の長辺１３ａに沿って延びる軸Ａ（第１軸）まわりに回動可能に、また、軸Ａと略直交しかつディスプレイ１３の短辺１３ｄに沿って延びる軸Ｂ（第３軸）まわりに回動可能に、更に、軸Ａに対してディスプレイ１３の長辺１３ｃ側に偏倚した軸Ａと平行な軸Ｃ（第２軸）まわりに回動可能にディスプレイ１３を本体１２に連結している。
【００７２】
図１８は、デジタルカメラ１１０のヒンジユニットの構成を示す。
【００７３】
ヒンジユニット１１４は、本体１２の凹部１７の底面に固定される固定部１２０と、ディスプレイ１３を支持する第１支持部１２１及び第２支持部１２２とを有する。
【００７４】
固定部１２０には、軸Ａ上に配置される一対のヒンジブラケット１３０が設けられており、第１支持部１２１には、軸Ａの軸方向にヒンジブラケット１３０と重ね合わされる一対のヒンジブラケット１３１が設けられている。重ね合わされたヒンジブラケット１３０とヒンジブラケット１３１とはヒンジピン１３２によって相対回動可能に結合される。
【００７５】
ヒンジブラケット１３０及びヒンジブラケット１３１並びにヒンジピン１３２により、軸Ａ上に配置される第１ヒンジ１２３が構成される。第１支持部１２１は、軸Ａ上の一対の第１ヒンジ１２３によって軸Ａまわりに回動可能に、固定部１２０を介して本体１２に連結される。
【００７６】
第１支持部１２１には、軸Ｃ上に配置される一対のヒンジブラケット１３３が設けられており、第２支持部１２２には、軸Ｃの軸方向にヒンジブラケット１３３と重ね合される一対のヒンジブラケット１３４が設けられている。重ね合わされたヒンジブラケット１３３とヒンジブラケット１３４とはヒンジピン１３５によって相対回動可能に結合される。
【００７７】
ヒンジブラケット１３３及びヒンジブラケット１３４並びにヒンジピン１３５により、軸Ｃ上に配置される第２ヒンジ１２４が構成される。第２支持部１２２は、軸Ｃ上の一対の第２ヒンジ１２４によって軸Ｃまわりに回動可能に、第１支持部１２１に支持される。
【００７８】
第２支持部１２２には、軸Ｂ上に配置される一対のヒンジブラケット１３６が設けられており、ディスプレイ１３には、軸Ｂの軸方向にヒンジブラケット１３６と重ね合される一対のヒンジブラケット１３７が設けられている。重ね合わされたヒンジブラケット１３６とヒンジブラケット１３７とはヒンジピン１３８によって相対回動可能に結合される。
【００７９】
ヒンジブラケット１３６及びヒンジブラケット１３７並びにヒンジピン１３８により、軸Ｂ上に配置される第３ヒンジ１２５が構成される。ディスプレイ１３は、軸Ｂ上の一対の第３ヒンジ１２５によって軸Ｂまわりに回動可能に、第２支持部１２２に支持される。
【００８０】
以上のヒンジユニット１１４によれば、ディスプレイ１３は、ヒンジユニット１４の第１支持部１２１及び第２支持部１２２と一体に軸Ａまわりに回動され、また、第２支持部１２２と一体に軸Ｃまわりに回動され、また、単独で軸Ｂまわりに回動される。
【００８１】
ディスプレイ１３が凹部１７に収容されて本体１２の背面に沿って配置されている状態で、ヒンジユニット１１４は、ディスプレイ１３のカバー１６によって覆われ、デジタルカメラ１０の外観に露出しない。ヒンジユニット１１４をデジタルカメラ１０の外観に露出させないことにより、デジタルカメラ１０の意匠性を高めることができる。
【００８２】
図１９Ａは、ヒンジユニット１１４の一対の第１ヒンジ１２３及び一対の第２ヒンジ１２４並びに一対の第３ヒンジ１２５の配置を模式的に示し、図１９Ｂは、ヒンジユニット１１４が一対の第３ヒンジ１２５の軸Ｂまわりに回動された際のヒンジユニット１１４の軌道を模式的に示す。
【００８３】
図１９Ａ及び図１９Ｂに示すように、本例のヒンジユニット１１４では、軸Ａ上の一対の第１ヒンジ１２３のうち軸Ｂ寄りに位置する一方の第１ヒンジ１２３及び軸Ｃ上の一対の第２ヒンジ１２４のうち軸Ｂ寄りに位置する一方の第２ヒンジ１２４が軸Ｂ上の一対の第３ヒンジ１２５の間に配置されている。図中、二点鎖線の枠は、ディスプレイ１３の表示パネル１５を正面からみたときのカバー１６の外周を示している。
【００８４】
図２０Ａ及び図２０Ｂ、図２１Ａ及び図２１Ｂ、図２２Ａ及び図２２Ｂは、一対の第１ヒンジ１２３のうち軸Ｂ寄りに位置する一方の第１ヒンジ１２３及び一対の第２ヒンジ１２４のうち軸Ｂ寄りに位置する一方の第２ヒンジ１２４が一対の第３ヒンジ１２５の間から外れて配置されている場合をそれぞれ示す。
【００８５】
図２０Ａ及び図２０Ｂは、軸Ｂ寄りに位置する第１ヒンジ１２３及び第２ヒンジ１２４が、軸Ｂの軸方向に一対の第３ヒンジ１２５の間から外れて配置されており、軸Ａ及び軸Ｃと軸Ｂとが一対の第３ヒンジ１２５の外側で交差する場合を示している。この場合に、ヒンジユニット１１４及びヒンジユニット１１４を覆うカバー１６の外周は、図中クロスハッチングを付して示すように、図１９Ａ及び図１９Ｂに示したヒンジユニット１１４及びカバー１６の外周に対して軸Ｂの軸方向に拡大される。
【００８６】
図２１Ａ及び図２１Ｂは、軸Ｂ寄りに位置する第１ヒンジ１２３及び第２ヒンジ１２４が、軸Ａの軸方向に一対の第３ヒンジ１２５の間から外れて配置されており、かつ軸Ａと軸Ｂとが一対の第１ヒンジ１２３の外側で交差し、軸Ｃと軸Ｂとが一対の第２ヒンジ１２４の外側で交差する場合を示している。この場合に、ヒンジユニット１１４及びヒンジユニット１１４を覆うカバー１６の外周は、図中クロスハッチングを付して示すように、図１９Ａ及び図１９Ｂに示したヒンジユニット１１４及びカバー１６の外周に対して軸Ａの軸方向に拡大される。
【００８７】
図２２Ａ及び図２２Ｂは、軸Ｂ寄りに位置する第１ヒンジ１２３及び第２ヒンジ１２４が、軸Ａの軸方向に一対の第３ヒンジ１２５の間から外れて配置されており、かつ軸Ａと軸Ｂとが一対の第１ヒンジ１２３の間で交差し、軸Ｃと軸Ｂとが一対の第２ヒンジ１２４の間で交差する場合を示している。この場合に、ヒンジユニット１１４を覆うカバー１６の外周は、図１９Ａ及び図１９Ｂに示したカバー１６の外周と同等となる。
【００８８】
しかし、軸Ｂ寄りに位置する第１ヒンジ１２３及び第２ヒンジ１２４は、ディスプレイ１３の軸Ｂまわりの回動に伴い、本体１２の凹部１７の底面に向けて軸Ｂまわりに旋回される。そして、軸Ｂ寄りに位置する第１ヒンジ１２３及び第２ヒンジ１２４が軸Ａの軸方向に一対の第３ヒンジ１２５の間から外れて配置されることによって旋回半径が大きくなる。そのため、本体１２の凹部１７の底面には、第１ヒンジ１２３及び第２ヒンジ１２４との干渉を回避するための逃げ溝が必要となる。
【００８９】
このように、一対の第１ヒンジ１２３のうち軸Ｂ寄りに位置する一方の第１ヒンジ１２３及び一対の第２ヒンジ１２４のうち軸Ｂ寄りに位置する一方の第２ヒンジ１２４を一対の第３ヒンジ１２５の間に配置することにより、ヒンジユニット１１４を小型化することができる。
【００９０】
なお、軸Ｂ寄りに位置する第１ヒンジ１２３及び第２ヒンジ１２４いずれも一対の第３ヒンジ１２５の間に配置されているものとして説明したが、軸Ｂ寄りに位置する第１ヒンジ１２３及び第２ヒンジ１２４の少なくともいずれかが一対の第３ヒンジ１２５の間に配置されていれば、ヒンジユニット１１４を小型化することができる。
【００９１】
次に、ヒンジユニット１１４の第１支持部１２１及び第２支持部１２２と一体に軸Ａまわりに回動され、また、第２支持部１２２と一体に軸Ｃまわりに回動され、また、単独で軸Ｂまわりに回動されるディスプレイ１３の回動操作性を高めたデジタルカメラ１１０の種々の変形例について説明する。
【００９２】
図２３、図２４Ａから図２４Ｃに示す例は、第１回動操作部１４０と、第２回動操作部１４１と、第３回動操作部１４２とを備える。
【００９３】
第１回動操作部１４０は、ヒンジユニット１１４の第２支持部１２２に設けられており、軸Ａが沿うディスプレイ１３の長辺１３ａとは反対側の長辺１３ｃ側に軸Ａから外れ、かつ軸Ａに対して長辺１３ｃ側に偏倚した軸Ｃ上に配置され又は軸Ｃよりも長辺１３ｃ側に配置されている。そして、第１回動操作部１４０は、ヒンジユニット１１４を覆うディスプレイ１３のカバー１６の一部が切り欠かれてディスプレイ１３の外周に露出して設けられており、指を掛けることが可能な小片状の突起によって構成されている。
【００９４】
第２回動操作部１４１もまた、ヒンジユニット１１４の第２支持部１２２に設けられており、軸Ａが沿うディスプレイ１３の長辺１３ａ側に軸Ｃから外れて配置されている。そして、第２回動操作部１４１は、ヒンジユニット１１４を覆うディスプレイ１３のカバー１６の一部が切り欠かれてディスプレイ１３の外周に露出して設けられており、指を掛けることが可能な小片状の突起によって構成されている。
【００９５】
第３回動操作部１４２は、ディスプレイ１３に設けられており、軸Ｂが沿うディスプレイ１３の短辺１３ｄとは反対側の短辺１３ｂ側に軸Ｂから外れて配置されている。第３回動操作部１４２もまた、指を掛けることが可能な小片状の突起によって構成されている。
【００９６】
第１回動操作部１４０が引き上げられると、第１回動操作部１４０が設けられたヒンジユニット１１４の第２支持部１２２が第１支持部１２１と一体に軸Ａまわりに回動され、第２支持部１２２に支持されたディスプレイ１３もまた第１支持部１２１及び第２支持部１２２と一体に軸Ａまわりに回動される。第２回動操作部１４１が引き上げられると、第２回動操作部１４１が設けられたヒンジユニット１１４の第２支持部１２２が軸Ｃまわりに回動され、第２支持部１２２に支持されたディスプレイ１３もまた第２支持部１２２と一体に軸Ｃまわりに回動される。第３回動操作部１４２が引き上げられると、第３回動操作部１４２が設けられたディスプレイ１３が単独で軸Ｂまわりに回動される。これにより、ディスプレイ１３の軸Ａ及び軸Ｃ並びに軸Ｂの各軸まわりの回動における誤動作が抑制され、ディスプレイ１３の回動操作性を高めることができる。
【００９７】
ここで、ディスプレイ１３の長辺１３ａに沿う軸Ａに対して長辺１３ａとは反対側の長辺１３ｃ側に偏倚した軸Ｃが長辺１３ｃから離間して設けられている図示の例において、第１回動操作部１４０は、好ましくは図２５に示すように、長辺１３ｃの側面に露出して設けられる。第１回動操作部１４０は、長辺１３ｃの側面に露出する限りにおいて、長辺１３ｃの側面の長手方向中央部に露出して設けられてもよいし、長辺１３ｃと短辺１３ｂとの角部で長辺１３ｃ及び短辺１３ｂそれぞれの側面の長手方向端部に露出して設けられ、又は長辺１３ｃと短辺１３ｄとの角部で長辺１３ｃ及び短辺１３ｂそれぞれの側面の長手方向端部に露出して設けられてもよい。
【００９８】
長辺１３ｃの側面に露出して設けられた第１回動操作部１４０は、ディスプレイ１３が軸Ｃまわりに回動される際に本体１２の凹部１７の底面を摺動する。これにより、長辺１３ｃの側面を構成するカバー１６の縁部Ｅが本体１２の凹部１７の底面を摺動し、凹部１７の底面との摩擦によって軸Ｂまわりに回動されることを抑制することができ、ディスプレイ１３の誤動作を一層抑制することができる。
【００９９】
図２３、図２４Ａから図２４Ｃに示した例では、ディスプレイ１３の軸Ａまわりの回動及び軸Ｃまわりの回動並びに軸Ｂまわりの回動それぞれに個別の回動操作部が設けられているが、図２６、図２７Ａ及び図２７Ｂに示す例は、一つの回動操作部１５０に簡略化したものである。
【０１００】
回動操作部１５０は、ディスプレイ１３に設けられており、軸Ｂが沿うディスプレイ１３の短辺１３ｄとは反対側の短辺１３ｂ側に軸Ｂから外れて配置されている。
【０１０１】
回動操作部１５０は、係合部材１５１と、付勢部材１５２とを含む。係合部材１５１は、ヒンジユニット１１４の第２支持部１２２と係合するロック位置Ｐ１と第２支持部１２２との係合から解放されるアンロック位置Ｐ２との間で移動可能にディスプレイ１３のカバー１６に支持されている。係合部材５１のロック位置Ｐ１からアンロック位置Ｐ２への移動方向は、軸Ａ及び軸Ｃの軸方向と平行であってもよく、軸Ｂの軸方向と平行であってもよく、特に限定されない。付勢部材１５２は、係合部材１５１をロック位置Ｐ１に向けて付勢している。
【０１０２】
係合部材１５１には、ディスプレイ１３の外周に露出し、指を掛けることが可能な小片状の突起部１５３が設けられており、突起部１５３に対する操作により、回動操作部１５０の引き上げ、及び係合部材１５１のロック位置Ｐ１からアンロック位置Ｐ２への移動がなされる。
【０１０３】
係合部材１５１がロック位置Ｐ１にあってヒンジユニット１１４の第２支持部１２２と係合している場合に、ディスプレイ１３は第２支持部１２２と一体である。第２支持部１２２は本体１２に対して軸Ｂまわりに回動不能であることから、係合部材１５１が第２支持部１２２と係合している状態では、ディスプレイ１３は軸Ａ及び軸Ｃまわりにのみ回動可能である。本体１２の一方の側面に開放されている凹部１７によってディスプレイ１３の一方の短辺１３ｂの側面が露出されており、例えば露出された短辺１３ｂの側面に指が掛けられた状態で短辺１３ｂの側面が引き上げられ、ディスプレイ１３は軸Ａ又は軸Ｃまわりに回動される。
【０１０４】
係合部材１５１がアンロック位置Ｐ２に移動されて第２支持部１２２との係合から解放されている状態では、ディスプレイ１３は軸Ｂまわりにも回動可能である。この状態で回動操作部１５０が引き上げられると、回動操作部１５０が設けられたディスプレイ１３が単独で軸Ｂまわりに回動される。これにより、ディスプレイ１３の軸Ａ及び軸Ｃ並びに軸Ｂの各軸まわりの回動における誤動作が抑制され、ディスプレイ１３の回動操作性を高めることができる。
【０１０５】
図２８に示す例は、ディスプレイ１３の軸Ｂまわりの回動初動トルクを、ディスプレイ１３の軸Ａまわりの回動初動トルク及び軸Ｃまわりの回動初動トルクより大きくしたものである。
【０１０６】
また、本体１２の一方の側面に開放されている凹部１７によってディスプレイ１３の一方の短辺１３ｂの側面が露出されており、本例では、露出された短辺１３ｂの側面に指が掛けられた状態で短辺１３ｂの側面が引き上げられ、ディスプレイ１３が本体１２の背面から離反する向きに回動されるものとする。
【０１０７】
短辺１３ｂの側面における操作部位の軸Ｂまわりに旋回半径は、軸Ａまわりの旋回半径及び軸Ｃまわりの旋回半径より長くなる。そこで、ディスプレイ１３の軸Ｂまわりの回動初動トルクを相対的に大きくすることにより、ディスプレイ１３を軸Ｂまわりに回動させる際の操作荷重を、軸Ａまわりに回動させる際の操作荷重と略等しくし、又は軸Ａまわりに回動させる際の操作荷重よりも大きくすることができる。これにより、ディスプレイ１３が不用意に軸Ｂまわりに回動されることが抑制され、ディスプレイ１３の回動操作性を高めることができる。
【０１０８】
図２８に示す例は、一対の磁石を備える。
【０１０９】
一方の磁石１６０はヒンジユニット１１４の第２支持部１２２に、他方の磁石１６１はディスプレイ１３にそれぞれ設けられており、磁石１６０及び磁石１６１は、軸Ｂが沿うディスプレイ１３の短辺１３ｄとは反対側の短辺１３ｂ側に軸Ｂから外れて配置され、かつ互いに異なる磁極を対向させて配置されている。
【０１１０】
ディスプレイ１３は、磁石１６０と磁石１６１との間に生じる引力によって第２支持部１２２に吸着固定される。そして、磁石１６０及び磁石１６１が、軸Ｂが沿うディスプレイ１３の短辺１３ｄとは反対側の短辺１３ｂ側に軸Ｂから外れて配置されていることから、磁石１６０と磁石１６１との間の引力により、ディスプレイ１３の軸Ｂまわりの回動初動トルクが増大される。磁石１６０及び磁石１６１の表面磁束密度及び対向間隔、並びに磁石１６０及び磁石１６１と軸Ｂとの距離により、磁石１６０と磁石１６１との間の引力に基づく軸Ｂまわりのトルクは適宜調整され、ディスプレイ１３の軸Ｂまわりの回動初動トルクが軸Ａまわりの回動初動トルク及び軸Ｃまわりの回動初動トルクより大きく設定される。
【０１１１】
磁石１６０と磁石１６１との間の引力が軸Ｂまわりのトルクとして効果的に作用するよう、好ましくは、磁石１６０及び磁石１６１は、軸Ｂが沿うディスプレイ１３の短辺１３ｄとは反対側の短辺１３ｂに隣設される。
【０１１２】
更に、磁石１６０と磁石１６１との間の引力は、本体１２の背面から離反する向きに軸Ｂまわりに回動されたディスプレイ１３が再び本体１２の背面に沿う向きに回動される際に、ディスプレイ１３を本体１２の背面に引き込むようにも作用する。本体１２の背面近傍まで回動されたディスプレイ１３は、磁石１６０と磁石１６１との間の引力によって本体１２の背面に引き込まれ、本体１２の背面に沿う適正位置に自動的に配置される。これにより、ディスプレイ１３の回動操作性を一層高めることができる。
【０１１３】
なお、図１３に示した例のように、本体１２にも磁石を設け、ヒンジユニット１１４の第２支持部１２２に設けられた磁石１６０と本体１２の磁石との間に生じる引力により、本体１２の背面から離反する向きに軸Ａ又は軸Ｃまわりに回動されたディスプレイ１３が再び本体１２の背面に沿う向きに回動される際に、ディスプレイ１３を本体１２の背面に引き込むようにしてもよい。この場合、ディスプレイ１３の軸Ｂまわりの回動初動トルクを相対的に大きくする観点から、磁石１６０と本体１２の磁石との間の引力は磁石１６０と磁石１６１との間の引力よりも小さく設定される。
【０１１４】
また、デジタルカメラ１１０においても、第１ヒンジ１２３及び第２ヒンジ１２４並びに第３ヒンジ１２５それぞれに図１４Ａ及び図１４Ｂに示したクリック機構を設け、クリック機構を利用して、ディスプレイ１３の軸Ｂまわりの回動初動トルクを相対的に大きくすることができる。
【０１１５】
図２９、図３０Ａ及び図３０Ｂに示す例は、ディスプレイ１３が軸Ｂまわりに回動された状態でディスプレイ１３の軸Ａ及び軸Ｃまわりの回動を規制するようにしたものである。
【０１１６】
ディスプレイ１３が収容される本体１２の凹部１７には、係合部材１８０と、付勢部材１８１とが設けられている。係合部材１８０は、軸Ｂが沿うディスプレイ１３の短辺１３ｄの側面を構成しているカバー１６の縁部Ｅの軸Ｂまわりの旋回軌道上に配置されており、本体１２の背面に沿って配置されているディスプレイ１３が本体１２の背面から離反する向きに軸Ｂまわりに回動された際にカバー１６の縁部Ｅによって押圧される。
【０１１７】
係合部材１８０は、ヒンジユニット１４の第２支持部１２２と係合することによって第２支持部１２２を本体１２に固定するロック位置Ｐ１と、第２支持部１２２との係合から解放されるアンロック位置Ｐ２との間で、押圧方向に移動可能に本体１２に支持されている。付勢部材１８１は、アンロック位置Ｐ２に向けて係合部材１８０を付勢している。
【０１１８】
係合部材１８０がアンロック位置Ｐ２にあってヒンジユニット１１４の第２支持部１２２との係合から解放されている状態で、ディスプレイ１３は軸Ａ及び軸Ｂの各軸まわりに回動可能であり、この状態からディスプレイ１３が軸Ｂまわりに回動された場合に、係合部材１８０は、ディスプレイ１３のカバー１６の縁部Ｅによって押圧されてロック位置Ｐ１に移動され、ヒンジユニット１４の第２支持部１２２と係合する。係合部材１８０と第２支持部１２２との係合によって第２支持部１２２は本体１２に固定され、第２支持部１２２の軸Ａ及び軸Ｃまわりの回動が阻止され、ディスプレイ１３の軸Ａ及び軸Ｃまわりの回動もまた阻止される。
【０１１９】
このように、ディスプレイ１３が軸Ｂまわりに回動された場合に、ディスプレイ１３の軸Ａ及び軸Ｃまわりの回動を阻止することによってディスプレイ１３の無用な回動をなくすことにより、ディスプレイ１３の回動操作性を高めることができる。
【０１２０】
以上説明したように、本明細書に開示された撮像装置は、撮像素子を有する本体と、上記本体の一面に沿って配置された矩形のディスプレイと、上記ディスプレイを上記本体に可動に連結しているヒンジユニットと、を備え、上記ヒンジユニットは、上記ディスプレイの直交する二辺のうち一辺に沿って延びる第１軸上の一対の第１ヒンジによって上記第１軸まわりに回動可能に上記本体に連結された支持部を含み、上記ディスプレイは、上記ディスプレイの直交する二辺のうち他辺に沿って延びる第２軸上の一対の第２ヒンジによって上記第２軸まわりに回動可能に上記支持部に支持されており、上記一対の第１ヒンジの一方は上記一対の第２ヒンジの間に配置されている。
【０１２１】
また、本明細書に開示された撮像装置は、上記支持部が、上記第１軸が沿う上記ディスプレイの一辺とは反対側の一辺側に上記第１軸から外れて配置され、上記ディスプレイの外周に露出して設けられた第１回動操作部を有し、上記ディスプレイは、上記第２軸が沿う上記ディスプレイの一辺とは反対側の一辺側に上記第２軸から外れて配置された第２回動操作部を有する。
【０１２２】
また、本明細書に開示された撮像装置は、上記ディスプレイが、上記第２軸が沿う上記ディスプレイの一辺とは反対側の一辺側に上記第２軸から外れて配置された回動操作部を有し、上記回動操作部は、上記支持部と係合することによって上記ディスプレイの上記第２軸まわりの回動を阻止するロック位置と上記支持部との係合から解放されるアンロック位置との間で移動可能な係合部材と、上記係合部材を上記ロック位置に向けて付勢する付勢部材とを含む。
【０１２３】
また、本明細書に開示された撮像装置は、上記ディスプレイの上記第２軸まわりの回動初動トルクは、上記支持部の上記第１軸まわりの回動初動トルクより大きい。
【０１２４】
また、本明細書に開示された撮像装置は、上記本体が、上記支持部と係合することによって上記支持部を上記本体に固定するロック位置と上記支持部との係合から解放されるアンロック位置との間で移動可能な係合部材と、上記係合部材を上記アンロック位置に向けて付勢する付勢部材とを含み、上記係合部材は、上記本体の一面から離反する向きに上記第２軸まわりに回動される上記ディスプレイに押圧されて上記ロック位置に移動される。
【０１２５】
また、本明細書に開示された撮像装置は、撮像素子を有する本体と、上記本体の一面に沿って配置された矩形のディスプレイと、上記ディスプレイを上記本体に可動に連結しているヒンジユニットと、を備え、上記ヒンジユニットは、上記ディスプレイの直交する二辺のうち一辺に沿って延びる第１軸上の一対の第１ヒンジによって上記第１軸まわりに回動可能に上記本体に連結された第１支持部と、上記第１軸に対して上記第１軸が沿う上記ディスプレイの一辺とは反対側の一辺側に偏倚した上記第１軸と平行な第２軸上の一対の第２ヒンジによって上記第２軸まわりに回動可能に上記第１支持部に連結された第２支持部と、を含み、上記ディスプレイは、上記ディスプレイの直交する二辺のうち他辺に沿って延びる第３軸上の一対の第３ヒンジによって上記第３軸まわりに回動可能に上記第２支持部に支持されており、上記一対の第１ヒンジの一方及び上記一対の第２ヒンジの一方の少なくともいずれかは、上記一対の第３ヒンジの間に配置されている。
【０１２６】
また、本明細書に開示された撮像装置は、上記第２支持部が、上記第１軸が沿う上記ディスプレイの一辺とは反対側の一辺側に上記第１軸から外れ、上記ディスプレイの外周に露出して設けられた第１回動操作部と、上記第１軸が沿う上記ディスプレイの一辺側に上記第２軸から外れて配置され、上記ディスプレイの外周に露出して設けられた第２回動操作部とを有し、上記ディスプレイは、上記第３軸が沿う上記ディスプレイの一辺とは反対側の一辺側に上記第３軸から外れて配置された第３回動操作部を有する。
【０１２７】
また、本明細書に開示された撮像装置は、上記第１回動操作部が、上記ディスプレイの外周において上記第１軸が沿う上記ディスプレイの一辺とは反対側の一辺に露出して設けられている。
【０１２８】
また、本明細書に開示された撮像装置は、上記ディスプレイが、上記第３軸が沿う上記ディスプレイの一辺とは反対側の一辺側に上記第３軸から外れて配置された回動操作部を有し、上記回動操作部は、上記第２支持部と係合することによって上記ディスプレイの上記第３軸まわりの回動を阻止するロック位置と上記第２支持部との係合から解放されるアンロック位置との間で移動可能な係合部材と、上記係合部材を上記ロック位置に向けて付勢する付勢部材とを含む。
【０１２９】
また、本明細書に開示された撮像装置は、上記ディスプレイの上記第３軸まわりの回動初動トルクは、上記第１支持部の上記第１軸まわりの回動初動トルク及び上記第２支持部の前記第２軸まわりの回動初動トルクより大きい。
【０１３０】
また、本明細書に開示された撮像装置は、上記本体が、上記第２支持部と係合することによって上記第２支持部を上記本体に固定するロック位置と上記第２支持部との係合から解放されるアンロック位置との間で移動可能な係合部材と、上記係合部材を上記アンロック位置に向けて付勢する付勢部材とを含み、上記係合部材は、上記本体の一面から離反する向きに上記第３軸まわりに回動される上記ディスプレイに押圧されて上記ロック位置に移動される。
【０１３１】
また、本明細書に開示された撮像装置は、上記ディスプレイが、上記ヒンジユニットを覆うカバーを有する。
【産業上の利用可能性】
【０１３２】
本発明は、ディスプレイが本体に可動に連結される種々の撮像装置に用いることができる。【０１３３】
以上本発明の実施形態を詳述したがこれはあくまで一例示であり、本発明はその趣旨を逸脱しない範囲において種々変更を加えた態様で実施可能である。本出願は、２０１５年９月３０日出願の日本特許出願（特願２０１５−１９４２３６）に基づくものであり、その内容はここに参照として取り込まれる。
【符号の説明】
【０１３４】
１     デジタルカメラの本体
２     ディスプレイ
３     ヒンジユニット
４     第１ヒンジ
４ａ   軸受孔
５     第２ヒンジ
５ａ   軸受孔
５ｂ   軸部
１０   デジタルカメラ
１１   撮像素子
１２   本体
１３   ディスプレイ
１３ａ ディスプレイの長辺
１３ｂ ディスプレイの短辺
１３ｃ ディスプレイの長辺
１３ｄ ディスプレイの短辺
１４   ヒンジユニット
１５   表示パネル
１６   カバー
１７   凹部
２０   固定部
２１   支持部
２３   第１ヒンジ
２４   第２ヒンジ
３０   ヒンジブラケット
３１   ヒンジブラケット
３２   ヒンジピン
３３   ヒンジブラケット
３４   ヒンジブラケット
３５   ヒンジピン
４０   第１回動操作部
４１   第２回動操作部
５０   回動操作部
５１   係合部材
５２   付勢部材
５３   突起部
６０   磁石
６１   磁石
６２   磁石
７０   摺接板
７１   凸部
７２   凹部
７３   摺接板
７４   凸部
７５   凹部
８０   係合部材
８１   付勢部材
１１０ デジタルカメラ
１１４ ヒンジユニット
１２０ 固定部
１２１ 第１支持部
１２２ 第２支持部
１２３ 第１ヒンジ
１２４ 第２ヒンジ
１２５ 第３ヒンジ
１３０ ヒンジブラケット
１３１ ヒンジブラケット
１３２ ヒンジピン
１３３ ヒンジブラケット
１３４ ヒンジブラケット
１３５ ヒンジピン
１３６ ヒンジブラケット
１３７ ヒンジブラケット
１３８ ヒンジピン１４０ 第１回動操作部
１４１ 第２回動操作部
１４２ 第３回動操作部
１５０ 回動操作部
１５１ 係合部材
１５２ 付勢部材
１５３ 突起部
１６０ 磁石
１６１ 磁石
１８０ 係合部材
１８１ 付勢部材
Ａ     軸
Ｂ     軸
Ｃ     軸
Ｅ     カバーの縁部
Ｈ１   凸部及び凹部の係合代
Ｈ２   凸部及び凹部の係合代
Ｐ１   ロック位置
Ｐ２   アンロック位置
Ｔ１   摺接板の厚み
Ｔ２   摺接板の厚み
【図１Ａ】
2017056590.tif 000003
【図１Ｂ】
2017056590.tif 000004
【図２Ａ】
2017056590.tif 000005
【図２Ｂ】
2017056590.tif 000006
【図３】
2017056590.tif 000007
【図４Ａ】
2017056590.tif 000008
【図４Ｂ】
2017056590.tif 000009
【図５Ａ】
2017056590.tif 000010
【図５Ｂ】
2017056590.tif 000011
【図６Ａ】
2017056590.tif 000012
【図６Ｂ】
2017056590.tif 000013
【図７Ａ】
2017056590.tif 000014
【図７Ｂ】
2017056590.tif 000015
【図８】
2017056590.tif 000016
【図９Ａ】
2017056590.tif 000017
【図９Ｂ】
2017056590.tif 000018
【図１０】
2017056590.tif 000019
【図１１Ａ】
2017056590.tif 000020
【図１１Ｂ】
2017056590.tif 000021
【図１２】
2017056590.tif 000022
【図１３】
2017056590.tif 000023
【図１４Ａ】
2017056590.tif 000024
【図１４Ｂ】
2017056590.tif 000025
【図１５】
2017056590.tif 000026
【図１６Ａ】
2017056590.tif 000027
【図１６Ｂ】
2017056590.tif 000028
【図１７Ａ】
2017056590.tif 000029
【図１７Ｂ】
2017056590.tif 000030
【図１７Ｃ】
2017056590.tif 000031
【図１８】
2017056590.tif 000032
【図１９Ａ】
2017056590.tif 000033
【図１９Ｂ】
2017056590.tif 000034
【図２０Ａ】
2017056590.tif 000035
【図２０Ｂ】
2017056590.tif 000036
【図２１Ａ】
2017056590.tif 000037
【図２１Ｂ】
2017056590.tif 000038
【図２２Ａ】
2017056590.tif 000039
【図２２Ｂ】
2017056590.tif 000040
【図２３】
2017056590.tif 000041
【図２４Ａ】
2017056590.tif 000042
【図２４Ｂ】
2017056590.tif 000043
【図２４Ｃ】
2017056590.tif 000044
【図２５】
2017056590.tif 000045
【図２６】
2017056590.tif 000046
【図２７Ａ】
2017056590.tif 000047
【図２７Ｂ】
2017056590.tif 000048
【図２８】
2017056590.tif 000049
【図２９】
2017056590.tif 000050
【図３０Ａ】
2017056590.tif 000051
【図３０Ｂ】
2017056590.tif 000052
【図３１】
2017056590.tif 000053
【図３２Ａ】
2017056590.tif 000054
【図３２Ｂ】
2017056590.tif 000055
【国際調査報告】
2017056590.tif 000056
2017056590.tif 000057
2017056590.tif 000058
2017056590.tif 000059